(57)【要約】【課題】縫製が簡単で安価に製造することができ、容積を拡縮操作する際の取り扱いが容易な洗濯用ネットを提供する。【解決手段】この洗濯用ネット１は、袋体２の上辺部２ａから右側辺部２ｂにわたって連続するように取り付けられた一組のスライドファスナ３を備える。一組のスライドファスナ３は、一対のファスナ半体３１が２個のスライダ４Ａ，４Ｂによって両端から開口可能な逆開きファスナである。上辺部２ａのスライダ４Ａの開操作によって洗濯物を出し入れするための開口部２ｅが形成される一方、閉操作によって開口部２ｅが閉じられ、右側辺部２ｂのスライダ４Ｂの開操作によって袋体２の幅を拡張させる拡張部２０が袋体２の内部から引き出される一方、閉操作によって拡張部２０が袋体２の内部に収納可能に構成されている。【選択図】図１
2016077626.tif 000002
【特許請求の範囲】
【請求項１】
洗濯物を収容し得る正面視四角形状の袋体を備える洗濯用ネットにおいて、
前記袋体の上辺部から左右いずれか一方の側辺部にわたって連続するように取り付けられた一組のファスナを備え、
前記一組のファスナは、一対のファスナ半体が２個のスライダによって両端から開口可能な逆開きファスナであって、
前記上辺部の開操作によって洗濯物を出し入れするための開口部が前記袋体の上辺部に形成される一方、前記上辺部の閉操作によって前記開口部が閉じられ、
前記側辺部の開操作によって前記袋体の幅を拡張させる拡張部が前記袋体の内部から引き出される一方、前記側辺部の閉操作によって前記拡張部が前記袋体の内部に収納可能に構成されていることを特徴とする洗濯用ネット。
【請求項２】
請求項１に記載の洗濯用ネットにおいて、
前記２個のスライダから一方のファスナ半体の端部を抜き取ると両ファスナ半体同士がその全長にわたって分離し、かつ、他方のファスナ半体から２個のスライダも分離可能に構成されていることを特徴とする洗濯用ネット。
【請求項３】
請求項１または２に記載の洗濯用ネットにおいて、
前記袋体の上辺部と前記側辺部との境界部分に、前記スライダの移動を規制する移動規制手段が取り付けられたことを特徴とする洗濯用ネット。
【請求項４】
請求項３に記載の洗濯用ネットにおいて、
前記移動規制手段は、前記スライダの移動を緩やかに規制することを特徴とする洗濯用ネット。
【請求項５】
請求項１〜４のいずれか１項に記載の洗濯用ネットにおいて、
前記上辺部の近傍に、前記開口部の近傍を束ねて縛る束縛手段が設けられたことを特徴とする洗濯用ネット。
【請求項６】
請求項１〜５のいずれか１項に記載の洗濯用ネットにおいて、
前記側辺部側のスライダに着脱式の引手が取り付けられたことを特徴とする洗濯用ネット。
【請求項７】
請求項１〜６のいずれか１項に記載の洗濯用ネットにおいて、
前記ファスナの両端部に前記ファスナ半体同士を結合するサイドタブがそれぞれ取り付けられるとともに、それら各サイドタブに、前記ファスナのスライダを被覆するカバーフラップが取り付けられたことを特徴とする洗濯用ネット。
【請求項８】
請求項１〜７のいずれか１項に記載の洗濯用ネットにおいて、
前記ファスナは、前記袋体の上辺部から側辺部を経由して下辺部にわたり連続するように取り付けられ、
前記側辺部の開操作によって前記袋体の幅を拡張させる第１拡張部が前記袋体の内部から引き出される一方、前記側辺部の閉操作によって前記第１拡張部が前記袋体の内部に収納可能に構成され、
前記下辺部の開操作によって前記袋体の高さを拡張させる第２拡張部が前記袋体の内部から引き出される一方、前記下辺部の閉操作によって前記第２拡張部が前記袋体の内部に収納可能に構成されていることを特徴とする洗濯用ネット。
【発明の詳細な説明】
【技術分野】
【０００１】
本発明は、衣類を洗濯する際に用いる洗濯用ネットに関し、より詳細には、衣類を収容する袋体の大きさ（容積）を使い方に応じて変化させることのできる洗濯用ネットに関する。
【背景技術】
【０００２】
医療・介護施設、養護施設等においては、入院患者や入居者が使用した衣類等をまとめて洗濯する洗濯業務サービスが利用されている。その種の施設では、入院患者や入居者から預かった衣類等が洗濯時に紛失したり、他人の衣類等と混ざり合ったりすることを防ぐために、通常は利用者ごとに区別された洗濯ネットを用いて衣類等を回収し、洗濯用ネットに衣類等を入れたままで洗濯から乾燥、返却まで行うという方式を採用している。かかる方式を採用することにより、洗濯業者の手間も大幅に軽減される。
【０００３】
このような洗濯業務サービスに利用される洗濯用ネットとしては、例えば特許文献１に袋体の大きさを拡縮可能にした洗濯用ネットが提案されている。この特許文献１に開示された洗濯用ネットでは、畳めば平らになる網状の袋体の上辺部に開閉用のスライドファスナが取り付けられているとともに、袋体の中間部にも袋体のサイズ（高さ）を伸縮（拡縮）させるためのスライドファスナが取り付けられている。これにより、使用状態に応じて袋体の大きさ（容積）を変化させることが可能になっている。
【０００４】
また、特許文献２には、略円筒状の包囲面と、該包囲面の上端および下端にそれぞれ設けられた略円形の上底面および下底面とを有し、内容物充填状態において略ドラム状をなすように形成された拡縮可能な洗濯用ネットが開示されている。上底面には、該上底面を径方向に横断するスライド開閉式の出入口ファスナが設けられ、この出入口ファスナを開いて洗濯物が出し入れされる。この洗濯用ネットでは、包囲面の上側略半部が本体部、下側略半部が拡縮部となされており、拡縮部には包囲面を周回するようにしてスライド開閉式の拡縮用ファスナが設けられている。そして、この拡縮用ファスナの開閉操作により、拡縮部が高さ方向に拡縮される。
【先行技術文献】
【特許文献】
【０００５】
【特許文献１】特開２００５−１１１２１８号公報
【特許文献２】特開２００４−２４２８１８号公報
【発明の概要】
【発明が解決しようとする課題】
【０００６】
上記特許文献１に開示された洗濯用ネットは、袋体の中間部に取り付けられたスライドファスナを開閉操作することにより、使用状態に応じて洗濯用ネットの大きさ（容積）を変化させることが可能である。しかしながら、上記特許文献１には、洗濯用ネットの大きさ（容積）を変化させるという点についての詳細な構成については開示されていない。
【０００７】
また、上記特許文献２に開示された洗濯用ネットは、包囲面、上底面および下底面等から縫製されているため、洗濯用ネットの構造（縫製）が複雑になってコストが増加するという問題点がある。また、拡縮部を拡縮操作する際には、拡縮用ファスナを包囲面の全周長以上にわたって操作しなければならないため、取り扱いが煩雑になるという問題点がある。
【０００８】
本発明は、上記課題に鑑みてなされたものであって、縫製が簡単で安価に製造することができ、容積を拡縮操作する際の取り扱いが容易な洗濯用ネットを提供することを目的としている。
【課題を解決するための手段】
【０００９】
上述の課題を解決するための手段として、本発明による洗濯用ネットは、以下のように構成されている。
【００１０】
すなわち、本発明による洗濯用ネットは、洗濯物を収容し得る正面視四角形状の袋体を備える構成を前提としている。
【００１１】
本発明による洗濯用ネットでは、前記袋体の上辺部から左右いずれか一方の側辺部にわたって連続するように取り付けられた一組のファスナを備え、前記一組のファスナは、一対のファスナ半体が２個のスライダによって両端から開口可能な逆開きファスナであって、前記上辺部の開操作によって洗濯物を出し入れするための開口部が前記袋体の上辺部に形成される一方、前記上辺部の閉操作によって前記開口部が閉じられ、前記側辺部の開操作によって前記袋体の幅を拡張させる拡張部が前記袋体の内部から引き出される一方、前記側辺部の閉操作によって前記拡張部が前記袋体の内部に収納可能に構成されていることを特徴とするものである。
【００１２】
かかる構成を備える洗濯用ネットによれば、１本のファスナで開口部の開閉操作と拡張部の出し入れとの両方を容易に行うことができる。また、例えば略ドラム状の洗濯用ネットの拡縮部を拡縮操作するファスナを包囲面の全周長以上にわたって設ける場合と比べて、ファスナの全長を短くすることができるので、洗濯用ネットの構造（縫製）が簡単になるとともに、洗濯用ネットを安価に製造することができ、開口部の開閉操作や容積を拡縮操作する際の取り扱いが容易になる。
【００１３】
また、洗濯業者が利用者に洗濯用ネットを預ける際には、袋体の側辺部を閉操作して拡張部を袋体の内部に収容した状態で提供し、利用者から衣類が入れられた洗濯用ネットを回収して洗濯・乾燥する際には、袋体の側辺部を開操作して拡張部が引き出された状態で洗濯・乾燥させることができる。これにより、利用者が洗濯用ネットに衣類を詰め込み過ぎた（入れ過ぎた）としても、洗濯業者が拡張部を引き出すことにより、洗濯用ネットの幅の寸法を大きくして洗濯用ネットと洗濯物の分量とのバランスを良好にすることができる。こうして、洗濯用ネットの大きさ（容積）を容易に変化させることができるので、洗濯用ネットに衣類を詰め込み過ぎた状態で洗濯・乾燥することに起因して洗濯用ネットが破損するのを回避することができる。また、洗濯用ネット内において洗濯物が適度に移動することができるので、よりきれいに洗濯することができるとともに、より短時間で乾燥させることができる。
【００１４】
本発明の具体的な構成として、以下の複数のものが挙げられる。
【００１５】
本発明による洗濯用ネットにおいて、好ましくは、前記２個のスライダから一方のファスナ半体の端部を抜き取ると両ファスナ半体同士がその全長にわたって分離し、かつ、他方のファスナ半体から２個のスライダも分離可能に構成されていることを特徴とする。このように構成すれば、ファスナに糸屑が絡み付いた場合には、スライダをファスナから取り外してファスナおよびスライダを清掃することにより、容易に糸屑を取り除くことができ、また、スライダが壊れた場合には、容易に新しいスライダに交換することができる。
【００１６】
また、本発明による洗濯用ネットにおいて、好ましくは、前記袋体の上辺部と前記側辺部との境界部分に、前記スライダの移動を規制する移動規制手段が取り付けられたことを特徴とする。このように構成すれば、側辺部側のスライダを開操作して袋体の角部（境界部分）まで移動させた際に、移動規制手段により、スライダが袋体の上辺部にまで移動するのを規制することができる。一方、上辺部側のスライダを開操作して袋体の角部（境界部分）まで移動させた際に、移動規制手段により、スライダが袋体の側辺部にまで移動するのを規制することができる。
【００１７】
この場合、好ましくは、前記移動規制手段は、前記スライダの移動を緩やかに規制することを特徴とする。ここで、スライダの移動を「緩やかに」規制する、とは、スライダを移動させる際に、スライダが移動規制手段に当接することにより一旦スライドの移動が妨げられて、通常の洗濯・乾燥作業では容易に移動しない程度に拘束されるが、スライダにさらに力を加えて強く押しこむことにより、移動規制手段を越えてスライダを移動させることができることを意味している。このように構成すれば、上述のようにファスナやスライダのメンテナンスの必要が生じた場合に、スライダを移動規制手段を越えて強制的に移動させることによって、スライダをファスナ半体から分離したり交換したりすることができる。
【００１８】
また、本発明による洗濯用ネットにおいて、好ましくは、前記上辺部の近傍に、前記開口部の近傍を束ねて縛る束縛手段が設けられたことを特徴とする。このように構成すれば、この束縛手段を利用して、洗濯物を収容した袋体の開口部を開口方向に束ねて縛ると、洗濯中にスライダが不用意に開かなくなるとともに、開口部近傍が洗濯槽内で暴れにくくなって、攪拌時の衝撃等によるスライダのトラブルを防止することができる。なお、この発明において、開口部の「近傍」、とは、開口部の長さが数十ｃｍ程度の一般的な袋体の場合、開口部から数ｃｍ程度（最大でも１５ｃｍ程度）までの範囲を想定しているが、袋体の大きさに応じた寸法範囲としては、開口部の開口長さの１／４以内（より好ましくは１／５程度）を目安とするものとする。
【００１９】
また、本発明による洗濯用ネットにおいて、好ましくは、前記側辺部側のスライダに着脱式の引手が取り付けられたことを特徴とする。このように構成すれば、洗濯業者が利用者に洗濯用ネットを預けて洗濯物を回収する際、拡張部を袋体の内部に収納した状態で側辺部側のスライダから引手を取り外しておくという使い方ができるので、利用者が勝手に側辺部を開操作して洗濯物を詰め込み過ぎてしまうのを回避することができる。
【００２０】
また、本発明による洗濯用ネットにおいて、好ましくは、前記ファスナの両端部に前記ファスナ半体同士を結合するサイドタブがそれぞれ取り付けられるとともに、それら各サイドタブに、前記ファスナのスライダを被覆するカバーフラップが取り付けられたことを特徴とする。このように構成すれば、サイドタブにより、両ファスナ半体の端部間隔を適正に保持するとともに、スライダを移動させる際、ファスナの端部を指先で摘み易くすることができる。また、カバーフラップにより、ファスナの端部に寄せられたスライダを被覆して、洗濯・乾燥作業時に、スライダが引っ掛かったり損傷したりするトラブルを防ぐことができる。
【００２１】
また、本発明による洗濯用ネットにおいて、好ましくは、前記ファスナは、前記袋体の上辺部から側辺部を経由して下辺部にわたり連続するように取り付けられ、前記側辺部の開操作によって前記袋体の幅を拡張させる第１拡張部が前記袋体の内部から引き出される一方、前記側辺部の閉操作によって前記第１拡張部が前記袋体の内部に収納可能に構成され、前記下辺部の開操作によって前記袋体の高さを拡張させる第２拡張部が前記袋体の内部から引き出される一方、前記下辺部の閉操作によって前記第２拡張部が前記袋体の内部に収納可能に構成されていることを特徴とする。このように構成すれば、拡張部を側辺部から下辺部にわたって略Ｌ字形に形成することができるので、洗濯用ネットを幅方向のみならず高さ方向にも拡大することができる。
【発明の効果】
【００２２】
上記のように、本発明による洗濯用ネットによれば、縫製が簡単で安価に製造することができ、容積を拡縮操作する際の取り扱いを容易にすることができる。
【図面の簡単な説明】
【００２３】
【図１】本発明の第１実施形態に係る洗濯用ネットの全体的構成を示す斜視図であり、開口部が閉状態であり、拡張部が引き出されている状態である。
【図２】本発明の第１実施形態に係る洗濯用ネットの全体的構成を示す斜視図であり、開口部が閉状態であり、拡張部が収納されている状態である。
【図３】本発明の第１実施形態に係る洗濯用ネットの全体的構成を示す斜視図であり、開口部が開状態であり、拡張部が収納されている状態である。
【図４】本発明の第１実施形態に係る洗濯用ネットにおけるスライドファスナの構造および使用方法を示す説明図であって、（ａ）はスライドファスナを全閉した状態、（ｂ）はスライドファスナを開いて分離した状態、（ｃ）はスライドファスナからスライダを抜き取った状態をそれぞれ示す。
【図５】図１〜図３に示したスライドファスナにおける端部の構成を拡大して示す説明図である。
【図６】図１〜図３に示したスライドファスナに取り付けられる着脱式引手の構成を拡大して示す説明図であって、（ａ）はスライダに掛着される状態の上面形状、（ｂ）はスライダから離脱する状態の上面形状、（ｃ）は側面形状をそれぞれ示す。
【図７】図１〜図３に示したスライダの移動を規制する移動規制手段の構成を拡大して示す説明図である。
【図８】図１〜図３に示した洗濯用ネットに使用される束縛部材の使用状態を説明する斜視図である。
【図９】図１〜図３に示した洗濯用ネットに取り付けられる束縛部材の構成を拡大して示す部分正面図である。
【図１０】図９に示した束縛部材の使用状態を示す説明図である。
【図１１】図９に示した束縛部材に取り付けられているロック付きのスナップボタンの構造を示す断面図であって、（ａ）はロック解除状態、（ｂ）はロック状態をそれぞれ示す。
【図１２】束縛部材の他の実施形態を示す部分正面図である。
【図１３】本発明の第２実施形態に係る洗濯用ネットの全体的構成を示す斜視図であり、開口部が閉状態であり、第１および第２拡張部が引き出されている状態である。
【図１４】本発明の第２実施形態に係る洗濯用ネットの全体的構成を示す斜視図であり、開口部が閉状態であり、第１および第２拡張部が収納されている状態である。
【図１５】本発明の第２実施形態に係る洗濯用ネットの全体的構成を示す斜視図であり、開口部が開状態であり、第１および第２拡張部が収納されている状態である。
【発明を実施するための形態】
【００２４】
以下、本発明の実施の形態について図を参照して説明する。
【００２５】
−第１実施形態−
（洗濯用ネットの全体的構成）
図１〜図３に示すように、第１実施形態にかかる洗濯用ネット１は、正面視縦長矩形の外観をなす袋体２の上辺部２ａに、洗濯物を出し入れするための開口部２ｅ（図３参照）を設けるとともに、袋体２の右側辺部２ｂに、洗濯用ネット１の大きさ（容積）を変化させるための拡張部２０を設けたものとして構成される。この拡張部２０は、袋体２の内部に収納したり、外部に引き出すことにより、洗濯用ネット１の大きさ（容積）を容易に変化させることが可能となっている。なお、拡張部２０は、袋体２の左側辺部２ｃに設けてもよい。
【００２６】
そして、袋体２における上辺部２ａから右側辺部２ｂにわたって、スライドファスナ３が一体的に連続するように取り付けられている。このスライドファスナ３は、袋体２の上辺部２ａに沿って取り付けられた開口用ファスナ３ａと、袋体２の右側辺部２ｂに沿って取り付けられた拡張用ファスナ３ｂとを一体的に連続させた１本のファスナから構成されている。開口用ファスナ３ａは、開口部２ｅを開閉するための開閉部材である。拡張用ファスナ３ｂは、開閉操作を行うことにより、拡張部２０を袋体２の内部に収納したり、外部に引き出すための開閉部材である。
【００２７】
拡張部２０は、図１に示すように、正面視縦長矩形の平袋であって、上辺２０ａ、右辺２０ｂおよび下辺２０ｃが、袋状に閉じられている。左辺２０ｄは、開口しているとともに、袋体２の内部と一体に連通するように袋体２の右側辺部２ｂ（袋体２の内部）に縫着されている。これにより、洗濯用ネット１に収容された洗濯物は、袋体２と拡張部２０との間において自由に移動可能となっている。
【００２８】
また、拡張部２０の容積は、袋体２の容積よりも小さい。拡張部２０の右辺２０ｂおよび左辺２０ｄの長さ（長手方向の寸法）は、袋体２の右側辺部２ｂの長さ（長手方向の寸法）よりも小さい寸法に形成されている。拡張部２０の上辺２０ａおよび下辺２０ｃの長さ（短手方向の寸法）は、袋体２の上辺部２ａおよび下辺部２ｄの長さ（短手方向の寸法）よりも小さい寸法に形成されている。
【００２９】
ただし、拡張部２０の形態は必ずしもこれに限定されるものではなく、拡張部２０を袋体２に出し入れ可能であれば、他の形状であってもよい。
【００３０】
袋体２および拡張部２０を構成する網材には、例えばポリエステル系繊維やポリアミド系繊維等の、耐水・耐薬品性に優れた強靱な合成繊維製編地が利用される。例示形態では、網目が六角形状をなすラッセル編地が採用されている。六角形状の網目は、編糸の連結部に加わる力が分散されて破れにくくなるとともに、洗濯時に衣類から解れ出た糸屑等が網目の角部に絡みにくくなる、といった点で、洗濯用ネット１には好適である。
【００３１】
また、袋体２の片側面には、使用者の名前等を記載するための表示部２２が設けられている。表示部２２は、薄い布地や合成樹脂製の柔軟なシート材等を利用して形成され、洗濯時にも外れないように袋体２に縫着されている。
【００３２】
（スライドファスナの構成）
図１〜図６にスライドファスナ３の詳細な構成例を示す。例示のスライドファスナ３は、両端いずれからでも開閉可能な、いわゆる逆開きダブルファスナであって、一対のファスナ半体３１、３１と、それらを開閉する２個のスライダ４、４とを具備している。
【００３３】
ただし、スライドファスナ３の種類、材質および形状は、特に限定されるものではない。このスライドファスナ３の他の例としては、後述するエレメント（務歯）がコイル状の樹脂（ポリエステルやナイロン等）からなる樹脂ファスナ（コイルファスナ）、ポリアセタールやナイロン等のエレメントがファスナテープ（基布）に射出成型された例えばＹＫＫ社製の“ビスロン”（登録商標）ファスナ（樹脂ファスナ）、または、エレメントが金属からなる金属ファスナ等がある。
【００３４】
各ファスナ半体３１は、ファスナテープの片側縁に複数個のエレメントを取り付けて形成されている。ファスナテープの他側縁は、袋体２の開口端縁に沿って略直線的に縫い付けられる。各ファスナ半体３１におけるエレメント列の一端には、スライダ４のレール４１（図６参照）を通過し得る形状の蝶棒３２が取り付けられ、同エレメント列の他端には、スライダ４のレール４１を通過不能な形状の箱棒３３が取り付けられている。そして、一方のファスナ半体３１の箱棒３３が、他方のファスナ半体３１の蝶棒３２と対をなし、また、一方のファスナ半体３１の蝶棒３２が、他方の出入口ファスナ半体３１の箱棒３３と対をなすように、それぞれが互いに逆配置されている。
【００３５】
各スライダ４には、両ファスナ半体３１、３１のエレメント列に係合してエレメント同士を噛合・分離させるＹ字状のレール４１が形成されている。また、スライダ４の背面に突設された柱部４２（図６参照）には、スライダ４を移動させるための引手５が取り付けられている。なお、例示形態に係る引手５は、使用状態に応じてスライダ４に簡単に着脱し得るようになっているが、その構成については後述する。
【００３６】
図４を参照して、逆開きダブルファスナの詳細な構成例を示す。この構成例では、各スライダ４，４に引手５が設けられている例について説明する。図４に示すように、逆開きダブルファスナにおいては、２個のスライダ４、４が、レール４１の閉じる側（エレメント列同士を噛合させる側）を互いに対向させた、いわゆる尻合わせの向きで、両ファスナ半体３１、３１に係合される。したがって、同図（ａ）に示すように、２個のスライダ４、４を互いに離反させ、それぞれをスライドファスナ３の一端および他端に移動させると、スライドファスナ３は全閉となる。
【００３７】
また、同図（ｂ）に示すように、いずれか一方のスライダ４をスライドファスナ３のいずれか一端に寄せて２個のスライダ４、４同士を当接させると、スライドファスナ３の他端側が開く。例示形態においては、各ファスナ半体３１、３１の両端に蝶棒３２と箱棒３３とが互いに逆配置されているので、２個のスライダ４、４が寄せられた当該一端において、一方（当該一端に蝶棒３２が取り付けられているほう：図示下側）のファスナ半体３１の端部を摘んでスライドファスナ３の中央側へずらすと、当該ファスナ半体３１の一端に取り付けられた蝶棒３２が両スライダ４、４のレール４１を通過して、当該ファスナ半体３１が２個のスライダ４、４から抜き取られる。このとき、他方（図示上側）のファスナ半体３１の当該一端に取り付けられた箱棒３３は、２個のスライダ４、４が当該他方のファスナ半体３１から抜け出すのを防ぐストッパとして機能する。こうして、両ファスナ半体３１、３１同士は、その全長にわたって完全に分離される。そして、２個のスライダ４、４は、他方（当該一端に箱棒３３が取り付けられているほう：図示上側）のファスナ半体３１に係合した状態で取り残される。
【００３８】
その状態から同図（ｃ）に示すように、２個のスライダ４、４を、それらが係合している他方（図示上側）のファスナ半体３１に沿わせて他端側へと移動させる。当該ファスナ半体３１の他端に取り付けられているのはスライダ４のレール４１を通過可能な蝶棒３２であるから、２個のスライダ４、４は、その蝶棒３２から抜け出す。こうして、２個のスライダ４、４が、スライドファスナ３から完全に分離される。２個のスライダ４、４をスライドファスナ３に係合させる場合は、前記分離手順の逆順による。
【００３９】
このように、両ファスナ半体３１、３１の両端に蝶棒３２および箱棒３３を互いに逆配置で取り付け、尻合わせにした２個のスライダ４、４をスライドファスナ３に対し着脱自在に係合させることにより、例えばスライダ４が損傷したとき、壊れたスライダ４を簡単に取り外して交換することができる。また、スライドファスナ３に糸屑が絡み付いたとき、スライダ４を取り外してエレメントやスライダ４を清掃するのも容易になる。しかも、これらの作業には特別な工具や技能を必要としない。
【００４０】
図１および図２に示すように、洗濯用ネット１には上辺部２ａから右側辺部２ｂにわたってスライドファスナ３が取り付けられているので、一方のスライダ４Ａを開口用ファスナ３ａの左端に移動させることにより、袋体２の開口部２ｅが閉じられた状態になる。また、図３に示すように、一方のスライダ４Ａを開口用ファスナ３ａの右端に移動させることにより、袋体２の開口部２ｅが開けられた（形成された）状態になる。
【００４１】
図１に示すように、他方のスライダ４Ｂを拡張用ファスナ３ｂの上端に移動させることにより、拡張部２０が袋体２から引き出すことが可能な状態になる。また、図２および図３に示すように、他方のスライダ４Ｂを拡張用ファスナ３ｂの下端に移動させることにより、拡張部２０が袋体２に収納された状態になる。
【００４２】
スライドファスナ３の両端部には、短い帯片状をなすサイドタブ３６が、それぞれスライドファスナ３の延長方向に張り出すようにして取り付けられている。これらのサイドタブ３６は、上述のようなスライダ４の移動操作に際して、スライドファスナ３の端部を指先でしっかりと摘み易くするための部材である。図５に、サイドタブ３６の取付形態を拡大して示す。
【００４３】
サイドタブ３６は、例えばポリエステル系繊維のような比較的コシの強い合成繊維製の織テープ等からなり、その基端側が、両ファスナ半体３１、３１の端部近傍下面に重ねて縫合される。そして、両ファスナ半体３１、３１同士が分離しているときには、サイドタブ３６が、それ自身の幅によって、箱棒３３と蝶棒３２とを数ミリ程度の離間状態に保持し、両ファスナ半体３１、３１同士が噛合しているときには、自身の幅を湾曲させて、箱棒３３と蝶棒３２とを接触状態に保持する。また、両ファスナ半体３１、３１にスライダ４を係脱する際には、サイドタブ３６がスライドファスナ３の長手方向に適度の自由度をもって撓み変形することによりスライダ４の係脱を可能にする。
【００４４】
さらに、このサイドタブ３６には、スライドファスナ３の端部に寄せられたスライダ４を被覆するためのカバーフラップ３８が取り付けられている。カバーフラップ３８は、サイドタブ３６に準じた合成繊維製の織テープ等からなる短い帯片を利用して形成される。図５に示したカバーフラップ３８は、その基端側がサイドタブ３６の上面に重ねて縫合され、自由端側がスライドファスナ３の端部近傍上面に重ねられて、図５中に想像線で示すように、該端部に寄せられたスライダ４の背面を覆うように構成されている。
【００４５】
開口用ファスナ３ａは、洗濯・乾燥作業時には閉じられた状態、つまりスライダ４Ａが開口用ファスナ３ａの左端に寄せられた状態で使用される。したがって、上述のように開口用ファスナ３ａの左端にてサイドタブ３６がスライダ４Ａを被覆することにより、洗濯・乾燥作業時に、スライダ４Ａに他の洗濯用ネット１が引っ掛かったり、スライダ４Ａが洗濯槽等に衝突して損傷したりといった、スライダ４Ａに起因するトラブルを防ぎやすくなる。カバーフラップ３８の自由端側を捲り上げれば、ファスナ半体３１、３１にスライダ４Ａを係脱させる作業も無理なく行うことができる。
【００４６】
図６は、スライダ４に取り付けられる、着脱式の引手５の概略構成を示す。この引手５は、先端にフック５１を有する本体５２と、該フック５１を開閉させる可動部材５３とを組み合わせて構成される。本体５２は、上面視略長方形状の金属板からなり、先端に略Ｌ字状のフック５１が形成されている。本体５２の上面中央部分には本体５２の長手方向に延びる凹部５４が形成されて、この凹部５４内に可動部材５３が嵌め込まれる。
【００４７】
可動部材５３は、やや弾性変形可能な合成樹脂からなり、その先端には短爪部５５が形成され、後端上面には断面略半円形状の指掛部が形成されている。可動部材５３の下面には係合片（図示せず）が突設され、その係合片が本体５２の凹部５４に形成された溝孔５６に係合することにより、本体５２に対し可動部材５３が長手方向に摺動し得るように保持される。本体５２と可動部材５３との当接面には互いに係合する適宜の小突起（図示せず）やバネ片５７等が形成されて、可動部材５３がその摺動範囲の両端にて係止されるようになっている。
【００４８】
本体５２のフック５１をスライダ４の柱部４２に掛着した状態で、図６（ａ）に示すように、可動部材５３を本体５２の先端側に摺動させると、可動部材５３の短爪部５５が本体５２のフック５１を閉じて引手５がスライダ４から離れなくなり、この引手５を持ってスライダ４を移動させることができる。また、図６（ｂ）に示すように、可動部材５３を本体５２の後端側に摺動させると、可動部材５３の短爪部５５が本体５２のフック５１から離れて、この引手５をスライダ４の柱部４２から取り外すことができる。
【００４９】
なお、この第１実施形態は、スライダ４に対して引手５を着脱可能にする構成の一例を示したものであるが、本発明における引手５の構成は、これに限定されるものではなく、例えばナスカンのような部材をはじめとする従来公知の着脱機構も利用可能である。
【００５０】
このような構成によれば、洗濯時に各スライダ４から引手５を取り外すことにより、引手５に他の洗濯用ネット１が引っ掛かったり、作業時の衝撃で引手５が損傷したりする等のトラブルを防ぐことができる。
【００５１】
このような着脱式の引手５と併せて、いわゆるオートマチックスライダ（自動停止機能付スライドファスナ用スライダ）を利用するのも好ましい。オートマチックスライダとは、スライダの胴体内にスライダの移動を拘束するロック機構（図６中の符号４３）が内蔵されており、引手５を引っ張るとロックが解除されて移動可能になるスライダである。その種のスライダ４に着脱式の引手５を組み合わせれば、引手５を外すとスライダ４の移動がロックされてしまうので、洗濯時の攪拌動作等によってスライドファスナ３が不用意に開いてしまうことを、より確実に防止することができる。
【００５２】
（移動規制手段の構成）
図７に示すように、袋体２の右側辺部２ｂのうち上辺部２ａと隣接する部分（角部近傍）には、スライダ４，４の移動を規制する移動規制手段２３が取り付けられている。この移動規制手段２３は、例えば幅が約３ｃｍ程度のポリエステル系繊維のような比較的コシの強い合成繊維製の織テープ等やゴム等からなる短い帯片を利用して形成される。また、移動規制手段２３の一方端部２３ａは袋体２の紙面手前側に縫着されているとともに、他方端部２３ｂは袋体２の紙面奥側に縫着されている。移動規制手段２３は、拡張用ファスナ３ｂの一部を被覆するように設けられている。なお、移動規制手段２３は、袋体２の上辺部２ａのうち右側辺部２ｂと隣接する部分に設けられていてもよい。
【００５３】
開口用ファスナ３ａのスライダ４Ａを開操作した際には、移動規制手段２３により拡張用ファスナ３ｂ側へ移動するのが規制される（図３参照）。一方、拡張用ファスナ３ｂのスライダ４Ｂを開操作した際には、移動規制手段２３により開口用ファスナ３ａ側へ移動するのが規制される（図１参照）。
【００５４】
また、図７に示すように、移動規制手段２３は、トンネル状に形成されているので、スライダ４Ｂを移動規制手段２３内に強く押しこむことにより、スライダ４Ｂが移動規制手段２３に被覆されるように、移動規制手段２３の内側に配置することが可能である。このように、スライダ４が被覆されることにより、洗濯・乾燥作業時に、スライダ４Ｂに他の洗濯用ネット１が引っ掛かったり、スライダ４Ｂが洗濯槽に衝突して損傷したりといった、スライダ４Ｂに起因するトラブルを防ぎやすくなる。
【００５５】
また、スライダ４Ｂが移動規制手段２３の内側に配置されている状態から、さらに強く上辺部２ａ側に押しこむことにより、スライダ４Ｂを移動規制手段２３を通過させて、上辺部２ａ側に移動させることが可能である。同様に、スライダ４Ａを右側辺部２ｂ側に強く押しこむことにより、移動規制手段２３を通過させて、右側辺部２ｂ側に移動させることも可能である。
【００５６】
ただし、移動規制手段２３の形態は必ずしもこれに限定されるものではない。例えば、ミシン等を用いてファスナ半体３１同士を縫合（固定）することにより、スライダ４Ａ，４Ｂの移動を規制してもよい。その一方で、スライダ４Ａ，４Ｂの移動規制が不要になった場合には、ファスナ半体３１同士を縫合している糸をほどいて、スライダ４Ａ，４Ｂの移動を自由にすることも可能である。また、ファスナ半体３１同士を固定する他の方法として、一般的に使用される金属製または樹脂製のＵ字形状のファスナ止め具（留め具）を用いてファスナ半体３１同士を固定してもよい。
【００５７】
（束縛手段の構成）
次に、図３、図８〜図１０等を参照しつつ、束縛手段６の具体的構成について詳述する。
【００５８】
束縛手段６は、開口部２ｅが設けられている上辺部２ａの近傍を開口方向に束ねた状態で、その周囲に巻き回し得る長さの柔軟な帯体６１を具備する。帯体６１は、例えばナイロン、アクリル、ポロプロピレンその他の合成繊維からなる細幅（２〜３ｃｍ）の織テープ等を用いて形成され、その基端が開口部２ｅに近接する袋体２の左側辺部２ｃに結合される。ここで、開口部２ｅの「近傍」、あるいは開口部２ｅに「近接」とは、開口部２ｅの長さが数十ｃｍ程度の一般的な袋体２の場合、開口部２ｅから数ｃｍ程度（最大でも１５ｃｍ程度）までの範囲を想定しているが、袋体２の大きさに応じた寸法範囲としては、開口部２ｅの開口長さの１／４以内（より好ましくは１／５程度）を目安とするものとする。
【００５９】
帯体６１は、その基端が袋体２に直接、縫着される等して袋体２と一体化されてもよいが、例示形態では、帯体取付片６２を介して袋体２と着脱可能に取り付けられる。帯体取付片６２は、帯体６１と同様の素材で略同幅の短い織テープ等を用いて形成され、その基端が袋体２の左側辺部２ｃに縫着されている。そして、この帯体取付片６２に、帯体６１の基端が着脱可能に結合される。帯体取付片６２と帯体６１との着脱箇所には、互いに嵌合可能な一対の雄部材と雌部材とからなる合成樹脂製または金属製のスナップボタン６３が好適に利用される。このように、袋体２に対して帯体６１を着脱可能にすれば、洗濯物の量に応じて、必要な場合にのみ帯体６１を使用することができる。
【００６０】
帯体６１の先端は、移動規制手段２３の下側を通って束ねた袋体２の周囲に巻き回されて、帯体６１自身の中間部分に重ね留めされる。帯体６１を重ね留めする手段としては、例えば面ファスナが想定されるが、面ファスナは洗濯を繰り返すと接着面に糸屑が付着して接着力が著しく低下するので、あまり好ましくない。一般的なスナップボタンも、洗濯時に強い力を受けると外れてしまうおそれがある。
【００６１】
そこで、本発明の洗濯用ネット１においては、帯体６１を重ね留めするための手段として、ロック付きのスナップボタン７を採用している。ロック付きのスナップボタン７とは、特に金属製の雄部材または雌部材の一方に板バネ等を利用したロック機構を組み込み、ボタンの中央を押し込む等して板バネ等を変形させると、板バネ等が相手側部材に係合して雄部材と雌部材とが外れなくなるように構成されたものである。
【００６２】
図１１にロック付きのスナップボタン７の一例を示す。例示のスナップボタン７は、図示上側に示す雌部材７Ａに組み込まれた板バネ７１が、図示下側に示す雄部材７Ｂに係脱するように構成されている。
【００６３】
雌部材７Ａは、留め鋲７２を介して帯体６１に取り付けられた外ケース７３および内ケース７４、内ケース７４の内側に収容された略円錐台形状の板バネ７１、外ケース７３と内ケース７４との間に介装されたバネカバー７５等を具備する。外ケース７３および内ケース７４の中央部分は上面視円形に開口しており、その開口が、柔軟な素材からなるバネカバー７５によって塞がれている。
【００６４】
板バネ７１は、円錐台形の周面に相当する部分が６ヶ所程度に分割されていて、分割された各傾斜脚片７１１の下縁に、内向きに屈曲する係止爪７１２が形成されている。板バネ７１の天面部７１３は略皿状に膨湾しており、この天面部７１３を上方から押し込んで下向きに凸の状態にすると、各傾斜脚片７１１の傾斜角度が拡がり、係止爪７１２の間隔が開く。また、天面部７１３を下方から押し上げて上向きに凸の状態にすると、各傾斜脚片７１１の角度が狭まり、係止爪７１２の間隔が閉じる。
【００６５】
雄部材７Ｂは、リベット７６を介して帯体６１を挟むように取り付けられた外ケース７７と係合ピース７８とを具備している。係合ピース７８は、円板状の下縁フランジ７８１の中央に係合突起７８２が突設された形状をなし、係合突起７８２は、その略下半部が円筒状、略上半部が上向きに縮径した円錐台形状に形成されている。そして、円筒状をなす略下半部の外周面に、環状の係止溝７８３が形成されている。
【００６６】
図１１（ａ）に示すように、互いに離れた状態にある雄部材７Ｂと雌部材７Ａとを重ね合わせて、雄部材７Ｂの係合突起７８２を雌部材７Ａの板バネ７１の内側に強く押し込むと、図１１（ｂ）に示すように、係合突起７８２の上端が板バネ７１の天面部７１３に当接し、天面部７１３を下方から押し上げて上向きに凸の状態に弾性変形させる。すると、板バネ７１の係止爪７１２が係合突起７８２の係止溝７８３に係合してロック状態になり、雄部材７Ｂと雌部材７Ａとが分離できなくなる。
【００６７】
ロック状態を解除するには、図１１（ｂ）に示す状態で、雌部材７Ａの中央をバネカバー７５の上方から指先で押し下げ、板バネ７１の天面部７１３を下向きに凸の状態に弾性変形させる。すると、板バネ７１の係止爪７１２が開いて係止溝７８３への係合が解かれ、図１１（ａ）に示したように、雄部材７Ｂと雌部材７Ａとが分離可能になる。
【００６８】
このように、雌部材７Ａと雄部材７Ｂとを強めに嵌合させるだけで両者が分離不能にロックされ、雌部材７Ａの中央を押すだけでロックが解除される簡素な機構のロック付きスナップボタン７を帯体６１の重ね留め箇所に採用することにより、袋体２の開口部２ｅの近傍を、きわめて簡単に、かつ、洗濯時の激しい攪拌に晒されても外れないようにしっかりと束ねて縛ることができる。
【００６９】
なお、雄部材７Ｂおよび雌部材７Ａの配置関係については、図１０に示したように、帯体６１を巻き回したとき、帯体６１の外側からロック解除の操作をしやすいように、板バネ７１が組み込まれた側（例示形態では雌部材７Ａ）を帯体６１の先端側に取り付けるのが好ましい。
【００７０】
図１２は、帯体６１の先端近傍部分に関する他の実施形態を示す。例示の形態は、帯体６１の先端にスナップボタン７（雌部材７Ａ）の背面を被覆するカバー片６４を設けたものである。カバー片６４は、帯体６１の先端を延出して外側に折り返し縫着することにより形成されている。スナップボタン７のロックを解除する操作は、カバー片６４の上から行う。このようなカバー片６４によってスナップボタン７の背面を被覆すれば、金属製のスナップボタン７が他の洗濯ネットを損傷する等のトラブルをさらに万全に防止することができる。
【００７１】
なお、束縛手段６に関しては、前述のような帯体６１をロック付きのスナップボタン７で重ね留めする構成に限定されるものではない。簡単かつ強力に袋体２の周囲を束縛することができて、洗濯時に他の洗濯用ネット１を痛めるおそれの少ないものであれば、例えば適宜の係止手段を備えた合成ゴム製のバンド部材や、樹脂製のバックルでベルトを巻き締めるもの等、公知の結束部材等を適宜、利用することができる。
【００７２】
また、束縛手段６を構成する帯体６１と袋体２との結合形態について、前述の第１実施形態では袋体２に帯体取付片６２を縫着し、その帯体取付片６２に帯体６１をスナップボタン６３で着脱する形態を例示したが、そのスナップボタンも洗濯の繰り返し等によって劣化するおそれがある。そこで、場合によってはスナップボタンも交換できるように、帯体取付片６２と袋体２との縫着箇所も分離可能にしておくと、なお好ましい。具体的には、袋体２の左側辺部２ｃにあらかじめタグを縫い付けておき、そのタグに帯体取付片６２の基端を縫着する等の構成を採用すれば、その縫着箇所の縫糸を解くことによって帯体取付片６２も交換可能になる。
【００７３】
以上説明したように、第１実施形態による洗濯用ネット１によれば、以下に列記するような効果が得られる。
【００７４】
第１実施形態では、上記のように、一組のスライドファスナ（逆開きファスナ）３の開口用ファスナ３ａの開操作によって開口部２ｅが袋体２の上辺部２ａに形成される一方、閉操作によって開口部２ｅが閉じられ、拡張用ファスナ３ｂの開操作によって拡張部２０が袋体２の内部から引き出される一方、閉操作によって拡張部２０が袋体２の内部に収納可能である。
【００７５】
これにより、１本のファスナで開口部２ｅの開閉操作と拡張部２０の出し入れとの両方を容易に行うことができる。また、例えば略ドラム状の洗濯用ネットの拡縮部を拡縮操作するスライドファスナ３を包囲面の全周以上にわたって設ける場合と比べて、スライドファスナ３の全長を短くすることができるので、洗濯用ネット１の構造（縫製）が簡単になるとともに、洗濯用ネット１を安価に製造することができ、開口部２ｅの開閉操作や容積を拡縮操作する際の取り扱いが容易になる。
【００７６】
また、洗濯業者が利用者に洗濯用ネット１を預ける際には、洗濯用ネット１の右側辺部２ｂのスライダ４Ｂ（拡張用ファスナ３ｂ）を閉操作して拡張部２０を洗濯用ネット１の内部に収容した状態で提供し（図２および図３参照）、利用者から衣類が入れられた洗濯用ネット１を回収して洗濯・乾燥する際には、洗濯用ネット１の右側辺部２ｂのスライダ４Ｂ（拡張用ファスナ３ｂ）を開操作して拡張部２０が引き出された状態で洗濯・乾燥させることができる（図１参照）。その結果、利用者が洗濯用ネット１に衣類を詰め込み過ぎた（入れ過ぎた）としても、洗濯業者が拡張部２０を引き出すことにより、洗濯用ネット１の幅の寸法を大きくして洗濯用ネット１と洗濯物の分量とのバランスを良好にすることができる。こうして、洗濯用ネット１の大きさ（容積）を容易に変化させることができるので、洗濯用ネット１に衣類を詰め込み過ぎた状態で洗濯・乾燥することに起因して洗濯用ネット１が破損するのを回避することができる。また、洗濯用ネット１内において洗濯物が適度に移動することができるので、よりきれいに洗濯することができるとともに、より短時間で乾燥させることができる。
【００７７】
また、第１実施形態では、上記のように、２個のスライダ４Ａ，４Ｂから一方のファスナ半体３１の端部を抜き取ると両ファスナ半体３１同士がその全長にわたって分離し、かつ、他方のファスナ半体３１から２個のスライダ４Ａ，４Ｂも分離可能である。このように構成すれば、スライドファスナ３に糸屑が絡み付いた場合には、スライダ４Ａ，４Ｂをスライドファスナ３から取り外してスライドファスナ３およびスライダ４Ａ，４Ｂを清掃することにより、容易に糸屑を取り除くことができ、また、スライダ４Ａ，４Ｂが壊れた場合には、容易に新しいスライダ４Ａ，４Ｂに交換することができる。
【００７８】
また、第１実施形態では、上記のように、袋体２の上辺部２ａと袋体２の右側辺部２ｂとの境界部分に、スライダ４の移動を規制する移動規制手段２３を取り付ける。これにより、右側辺部２ｂのスライダ４Ｂを開操作して袋体２の右側辺部２ｂに沿って移動させた際に、移動規制手段２３により、スライダ４Ｂが袋体２の上辺部２ａにまで移動するのを規制することができる。一方、上辺部２ａのスライダ４Ａを開操作して袋体２の上辺部２ａに沿って移動させた際に、移動規制手段２３により、スライダ４Ａが袋体２の右側辺部２ｂにまで移動するのを規制することができる。
【００７９】
また、第１実施形態では、上記のように、移動規制手段２３をスライダ４，４の移動を緩やかに規制するように構成する。これにより、スライドファスナ３やスライダ４，４のメンテナンスの必要が生じた場合に、スライダ４，４を移動規制手段２３を越えて強制的に移動させることによって、スライダ４，４をファスナ半体３１から分離したり交換したりすることができる。
【００８０】
また、第１実施形態では、上記のように、上辺部２ａの近傍に、開口部２ｅの近傍を束ねて縛る束縛手段６を設ける。これにより、この束縛手段６を利用して、洗濯物を収容した袋体２の開口部２ｅを開口方向に束ねて縛ると、洗濯中にスライダ４が不用意に開かなくなるとともに、開口部２ｅ近傍が洗濯槽内で暴れにくくなって、攪拌時の衝撃等によるスライダ４のトラブルを防止することができる。
【００８１】
また、第１実施形態では、上記のように、拡張用ファスナ３ｂのスライダ４Ｂに着脱式の引手５を取り付ける。これにより、洗濯業者が利用者に洗濯用ネット１を預けて洗濯物を回収する際、拡張部２０を袋体２の内部に収納した状態で拡張用ファスナ３ｂのスライダ４Ｂから引手５を取り外しておくという使い方ができるので、利用者が勝手に拡張用ファスナ３ｂを開いて洗濯物を詰め込み過ぎてしまうのを回避することができる。
【００８２】
また、第１実施形態では、上記のように、スライドファスナ３の両端部にファスナ半体３１同士を結合するサイドタブ３６をそれぞれ取り付けるとともに、それら各サイドタブ３６に、スライドファスナ３のスライダ４を被覆するカバーフラップ３８を取り付ける。これにより、サイドタブ３６により、両ファスナ半体３１の端部間隔を適正に保持するとともに、スライダ４を移動させる際、スライドファスナ３の端部を指先で摘み易くすることができる。また、カバーフラップ３８により、スライドファスナ３の端部に寄せられたスライダ４を被覆して、洗濯・乾燥作業時に、スライダ４が引っ掛かったり損傷したりするトラブルを防ぐことができる。
【００８３】
−第２実施形態−
次に、図１３〜図１５を参照して、第２実施形態について説明する。この第２実施形態では、袋体の右側辺部にのみ拡張部を設けた上記第１実施形態とは異なり、袋体の右側辺部から下辺部にわたって第１および第２拡張部を設けた例について説明する。
【００８４】
（洗濯用ネットの全体的構成）
第２実施形態にかかる洗濯用ネット１０１は、正面視縦長矩形の外観をなす袋体１０２の上辺部１０２ａに洗濯物を出し入れするための開口部１０２ｅ（図１５参照）を設けるとともに、右側辺部１０２ｂに第１拡張部１２０を設け、さらに下辺部１０２ｄに第２拡張部２２０を設けたものとして構成される。
【００８５】
この第１拡張部１２０および第２拡張部２２０は、袋体１０２の内部に収納したり、外部に引き出すことにより、洗濯用ネット１０１の大きさ（容積）を容易に変化させることが可能となっている。これらの第１拡張部１２０および第２拡張部２２０は、略Ｌ字形に形成されている。
【００８６】
第１拡張部１２０は、正面視縦長矩形の平袋であって、上辺１２０ａ、右辺１２０ｂおよび下辺１２０ｃが袋状に閉じられている。左辺１２０ｄは、開口しているとともに、袋体１０２の内部と一体に連通するように右側辺部１０２ｂ（袋体１０２の内部）および第２拡張部２２０の右辺２２０ｂに縫着されている。
【００８７】
第２拡張部２２０は、正面視横長矩形の平袋であって、下辺２２０ｃおよび左辺２２０ｄが袋状に閉じられている。上辺２２０ａが袋体１０２の内部と一体に連通するように下辺部１０２ｄ（袋体１０２の内部）に縫着されている。右辺２２０ｂは、第１拡張部１２０の左辺１２０ｄと同一面で連通するように縫着されている。
【００８８】
洗濯用ネット１０１に収容された洗濯物は、袋体１０２と第１拡張部１２０と第２拡張部２２０との間で自由に移動可能となっている。
【００８９】
第１拡張部１２０の右辺１２０ｂおよび左辺１２０ｄの長さ（長手方向の寸法）は、袋体１０２の右側辺部１０２ｂの長さ（長手方向の寸法）よりも大きい寸法に形成されている。第１拡張部１２０の上辺１２０ａおよび下辺１２０ｃの長さ（短手方向の寸法）は、袋体１０２の上辺部１０２ａおよび下辺部１０２ｄの長さ（短手方向の寸法）よりも小さい寸法に形成されている。
【００９０】
第２拡張部２２０の右辺２２０ｂおよび左辺２２０ｄの長さ（短手方向の寸法）は、袋体１０２の右側辺部１０２ｂおよび左側辺部１０２ｃの長さ（長手方向の寸法）よりも小さい寸法に形成されている。第２拡張部２２０の上辺２２０ａおよび下辺２２０ｃの長さ（長手方向の寸法）は、袋体１０２の下辺部１０２ｄの長さ（短手方向の寸法）と略同寸に形成されている。
【００９１】
なお、第１拡張部１２０および第２拡張部２２０の形態は必ずしもこれに限定されるものではなく、第１拡張部１２０および第２拡張部２２０を袋体１０２に出し入れ可能であれば、他の形状であってもよい。また、第１拡張部１２０は、左側辺部１０２ｃに設けてもよい。
【００９２】
（スライドファスナの構成）
第２実施形態による洗濯用ネット１０１においては袋体１０２における上辺部１０２ａから右側辺部１０２ｂを経由して下辺部１０２ｄにわたりスライドファスナ１０３が一体的に連続するように取り付けられている。このスライドファスナ１０３は、袋体１０２の上辺部１０２ａに沿って取り付けられた開口用ファスナ１０３ａと、袋体１０２の右側辺部１０２ｂに沿って取り付けられた第１拡張用ファスナ１０３ｂと、下辺部１０２ｄに沿って取り付けられた第２拡張用ファスナ１０３ｃとを一体的に連続させた１本のファスナから構成されている。開口用ファスナ１０３ａは、開口部１０２ｅ（図１５参照）を開閉するための開閉部材である。第１拡張用ファスナ１０３ｂおよび第２拡張用ファスナ１０３ｃは、開閉操作を行うことにより、第１拡張部１２０および第２拡張部２２０を袋体１０２の内部に収納したり、外部に引き出すための開閉部材である。
【００９３】
スライドファスナ１０３は、両端いずれからでも開閉可能な、いわゆる逆開きダブルファスナであって、一対のファスナ半体１３１、１３１と、それらを開閉する２個のスライダ１０４Ａ、１０４Ｂとを具備している。なお、ファスナ半体１３１およびスライダ１０４（１０４Ａ，１０４Ｂ）の構成は、上記第１実施形態と同様である。
【００９４】
図１３および図１４に示すように、一方のスライダ１０４Ａを開口用ファスナ１０３ａの左端に移動させることにより、袋体１０２の開口部１０２ｅが閉じられた状態になる。また、図１５に示すように、一方のスライダ１０４Ａを開口用ファスナ１０３ａの右端に移動させることにより、袋体１０２の開口部１０２ｅが開けられた（形成された）状態になる。
【００９５】
図１３に示すように、他方のスライダ１０４Ｂを第１拡張用ファスナ１０３ｂの上端に移動させることにより、第１拡張部１２０および第２拡張部２２０が袋体１０２から引き出された状態になる。また、図１４および図１５に示すように、他方のスライダ１０４Ｂを第２拡張用ファスナ１０３ｃの左端に移動させることにより、第１拡張部１２０および第２拡張部２２０が袋体１０２に収納された状態になる。
【００９６】
この洗濯用ネット１０１の使用例としては、例えば洗濯業者が利用者に洗濯用ネット１０１を預ける際には、図１４および図１５に示すように、第１拡張部１２０および第２拡張部２２０を袋体１０２の内部に収納しておく。そして、洗濯業者が利用者から洗濯用ネット１０１を回収した際に、洗濯用ネット１０１に洗濯物が詰め込まれ過ぎている場合には、図１３に示すように、第１拡張部１２０および第２拡張部２２０を袋体１０２の内部から引き出した状態で、洗濯・乾燥作業を行う。これにより、洗濯用ネット１０１の大きさ（容積）と洗濯物の分量とのバランスが良くなるので、洗濯・乾燥中に洗濯用ネット１０１が破損するのを回避することが可能になる。
【００９７】
こうして、洗濯用ネット１０１の大きさ（容積）を小さくした状態で洗濯用ネット１０１を利用者に貸与することにより、利用者が洗濯物を詰め込み過ぎないように制限するとともに、洗濯時には第１拡張部１２０および第２拡張部２２０を引き出して容積を増やし、洗濯や乾燥の効率を高めることが可能になる。なお、洗濯用ネット１０１に洗濯物が詰め込まれ過ぎていない（適度な分量になっている）場合には、第１拡張部１２０および第２拡張部２２０を袋体１０２の内部に収納した状態で、洗濯・乾燥を行ってもよいし、第２拡張部２２０のみを引き出した状態で使用してもよい。なお、第２実施形態の移動規制手段および束縛手段の構成は、上記第１実施形態と同様である。
【００９８】
以上説明したように、第２実施形態による洗濯用ネット１０１によれば、以下に列記するような効果が得られる。
【００９９】
第２実施形態では、上記のように、右側辺部１０２ｂのスライダ１０４Ｂの開操作によって袋体１０２の幅を拡張させる第１拡張部１２０が袋体１０２の内部から引き出される一方、閉操作によって第１拡張部１２０が袋体１０２の内部に収納可能であり、下辺部１０２ｄのスライダ１０４Ｂの開操作によって袋体１０２の高さを拡張させる第２拡張部２２０が袋体１０２の内部から引き出される一方、閉操作によって第２拡張部２２０が袋体１０２の内部に収納可能である。これにより、第１拡張部１２０および第２拡張部２２０を右側辺部１０２ｂから下辺部１０２ｄにわたって略Ｌ字形に形成することができるので、洗濯用ネット１０１を幅方向のみならず高さ方向にも拡大することができる。なお、第２実施形態の移動規制手段および束縛手段等の効果は、上記第１実施形態と同様である。
【０１００】
−他の実施形態−
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【０１０１】
上記第１および第２実施形態では、正面視縦長矩形の洗濯用ネットに本発明を適用する例を示したが、本発明はこれに限られない。例えば、正面視縦長矩形以外に、正面視横長矩形、正方形、台形、平行四辺形等の洗濯用ネットに本発明を適用することも可能である。
【０１０２】
上記第１および第２実施形態では、拡張部の大きさ（容積）を袋体よりも小さく形成する例を示したが、本発明はこれに限られない。本発明では、拡張部を袋体の内部に収納した際に、拡張部が問題なく袋体の内部に収納されれば、拡張部の大きさは特に限定されない。例えば、拡張部の大きさ（容積）を袋体と略同じ大きさ（容積）に形成してもよいし、拡張部の大きさ（容積）を袋体よりも大きく形成してもよい。
【０１０３】
上記第１および第２実施形態では、開口用ファスナと拡張用ファスナとの境界部分に１つの移動規制手段を設ける例を示したが、本発明はこれに限られない。例えば、開口用ファスナと拡張用ファスナとの境界部分に２つ以上の移動規制手段を設けてもよい。一方、開口用ファスナと拡張用ファスナとの境界部分に移動規制手段を設けなくてもよい。
【産業上の利用可能性】
【０１０４】
本発明は、洗濯用ネットに好適に利用することができ、より詳細には、衣類を収容する袋体の大きさ（容積）を使い方に応じて変化させることのできる洗濯用ネットに利用することができる。
【符号の説明】
【０１０５】
１  洗濯用ネット
２  袋体
２ａ  上辺部
２ｂ  右側辺部
２ｃ  左側辺部
２ｄ  下辺部
２ｅ  開口部
３  スライドファスナ
３ａ  開口用ファスナ
３ｂ  拡張用ファスナ
４、４Ａ、４Ｂ  スライダ
５  引手
６  束縛手段
７  ロック付きのスナップボタン
７Ａ  雌部材
７Ｂ  雄部材
２０  拡張部
２３  移動規制手段
３６  サイドタブ
３８  カバーフラップ
６１  帯体
６２  帯体取付片
６３  スナップボタン
６４  カバー片
１０１  洗濯用ネット
１０２  袋体
１０２ａ  上辺部
１０２ｂ  右側辺部
１０２ｃ  左側辺部
１０２ｄ  下辺部
１０２ｅ  開口部
１０３  スライドファスナ
１０３ａ  開口用ファスナ
１０３ｂ  第１拡張用ファスナ
１０３ｃ  第２拡張用ファスナ
１０４、１０４Ａ、１０４Ｂ  スライダ
１２０  第１拡張部
２２０  第２拡張部
【図１】
2016077626.tif 000003
【図２】
2016077626.tif 000004
【図３】
2016077626.tif 000005
【図４】
2016077626.tif 000006
【図５】
2016077626.tif 000007
【図６】
2016077626.tif 000008
【図７】
2016077626.tif 000009
【図８】
2016077626.tif 000010
【図９】
2016077626.tif 000011
【図１０】
2016077626.tif 000012
【図１１】
2016077626.tif 000013
【図１２】
2016077626.tif 000014
【図１３】
2016077626.tif 000015
【図１４】
2016077626.tif 000016
【図１５】
2016077626.tif 000017